(57)【要約】      （修正有）【課題】スイートスポットのような、クラブフェースの特色の強化された視覚的指標を提供するレーザ生成フィーチャを提供する。【解決手段】ゴルフクラブヘッド１００はレーザ生成フィーチャを有して、クラブフェース上にコントラストを作成する。クラブフェース１０２は、中央領域１２８、トウ領域１３２、およびヒール領域１３０を含む。中央領域は、中央領域のある高さ横断カバー範囲、幅横断カバー範囲、および表面積カバー範囲を提供する第１の複数のレーザ生成フィーチャを含む。トウ領域は、トウ領域のある高さ横断カバー範囲、幅横断カバー範囲、および表面積カバー範囲を提供する第２の複数のレーザ生成フィーチャを含む。ヒール領域は、ヒール領域のある高さ横断カバー範囲、幅横断カバー範囲、および表面積カバー範囲を提供する第３の複数のレーザ生成フィーチャを含む。【選択図】図１
0003233491.tif 000002
【実用新案登録請求の範囲】
【請求項１】
クラウンと、
ソールと、
前記クラウンおよび前記ソールに取り付けられ、中央領域、トウ領域、およびヒール領域を含むクラブフェースと、
を含み、
前記中央領域は、少なくとも８０％の前記中央領域の高さ横断カバー範囲、少なくとも８０％の前記中央領域の幅横断カバー範囲、または少なくとも２５％の前記中央領域の表面積カバー範囲の少なくとも１つを提供する第１の複数のレーザ生成フィーチャを含み、
前記トウ領域は、少なくとも５０％の前記トウ領域の高さ横断カバー範囲、少なくとも５０％の前記トウ領域の幅横断カバー範囲、または少なくとも２５％の前記トウ領域の表面積カバー範囲の少なくとも１つを提供する第２の複数のレーザ生成フィーチャを含み、
前記ヒール領域は、少なくとも５０％の前記ヒール領域の高さ横断カバー範囲、少なくとも５０％の前記ヒール領域の幅横断カバー範囲、または少なくとも２５％の前記ヒール領域の表面積カバー範囲の少なくとも１つを提供する第３の複数のレーザ生成フィーチャを含む、
ゴルフクラブヘッド。
【請求項２】
前記中央領域の前記高さ横断カバー範囲は少なくとも９０％であり、前記中央領域の前記幅横断カバー範囲は少なくとも９０％である、請求項１に記載のゴルフクラブヘッド。
【請求項３】
前記中央領域の前記表面積カバー範囲は少なくとも２５％である、請求項２に記載のゴルフクラブヘッド。
【請求項４】
前記中央領域の前記表面積カバー範囲は少なくとも５０％である、請求項２に記載のゴルフクラブヘッド。
【請求項５】
前記クラブフェースはヒールからトウ方向において最大幅を有し、前記中央領域は前記クラブフェースの前記最大幅の３０〜５０％の間で最大幅を有する、請求項１に記載のゴルフクラブヘッド。
【請求項６】
前記第１の複数のレーザ生成フィーチャは物理的気相成長（ＰＶＤ）コーティングで覆われている、請求項１に記載のゴルフクラブヘッド。
【請求項７】
前記第２の複数のレーザ生成フィーチャはＰＶＤコーティングで覆われていない、請求項６に記載のゴルフクラブヘッド。
【請求項８】
前記ＰＶＤコーティングは暗いコーティングであり、前記第１の複数のレーザ生成フィーチャは、前記第１の複数のレーザ生成フィーチャを覆っている前記ＰＶＤコーティングのために前記第２の複数のレーザ生成フィーチャより暗く見え、これによって前記中央領域と前記トウ領域との間にコントラストを作成している、請求項７に記載のゴルフクラブヘッド。
【請求項９】
前記第１の複数のレーザ生成フィーチャの一部はクラウンペイントによって覆われている、
請求項１に記載のゴルフクラブヘッド。
【請求項１０】
クラウンと、
ソールと、
前記クラウンおよび前記ソールに取り付けられ、中央領域、トウ領域、およびヒール領域を含むクラブフェースと、
を含み、
前記中央領域は、少なくとも９０％の前記中央領域の高さ横断カバー範囲、少なくとも９０％の前記中央領域の幅横断カバー範囲、または少なくとも２５％の前記中央領域の表面積カバー範囲の少なくとも２つを提供する第１の複数のレーザ生成フィーチャを含み、
前記トウ領域は、少なくとも６０％の前記トウ領域の高さ横断カバー範囲、少なくとも６０％の前記トウ領域の幅横断カバー範囲、または少なくとも１０％の前記トウ領域の表面積カバー範囲の少なくとも２つを提供する第２の複数のレーザ生成フィーチャを含み、
前記ヒール領域は、少なくとも６０％の前記ヒール領域の高さ横断カバー範囲、少なくとも６０％の前記ヒール領域の幅横断カバー範囲、または少なくとも１０％の前記ヒール領域の表面積カバー範囲の少なくとも２つを提供する第３の複数のレーザ生成フィーチャを含む、
ゴルフクラブヘッド。
【請求項１１】
前記中央領域の前記高さ横断カバー範囲は少なくとも９０％であり、前記中央領域の前記幅横断カバー範囲は少なくとも９０％である、請求項１０に記載のゴルフクラブヘッド。
【請求項１２】
前記中央領域の前記表面積カバー範囲は少なくとも５０％である、請求項１１に記載のゴルフクラブヘッド。
【請求項１３】
前記第１の複数のレーザ生成フィーチャは物理的気相成長（ＰＶＤ）コーティングで覆われており、
前記第２の複数のレーザ生成フィーチャはＰＶＤコーティングで覆われておらず、
前記第１の複数のレーザ生成フィーチャは、前記第１の複数のレーザ生成フィーチャを覆っている前記ＰＶＤコーティングのために前記第２の複数のレーザ生成フィーチャより暗く見え、これによって前記中央領域と前記トウ領域との間にコントラストを作成している、
請求項１０に記載のゴルフクラブヘッド。
【請求項１４】
前記第１の複数のレーザ生成フィーチャは第１の色であり、前記第２の複数のレーザ生成フィーチャは第２の色である、請求項１０に記載のゴルフクラブヘッド。
【考案の詳細な説明】
【背景技術】
【０００１】
ゴルフクラブヘッドは、最良の結果を生むようにゴルフクラブヘッドがゴルフボールを打つべきである最適な点である「スイートスポット」を含む。スイートスポットの大きさおよび場所は、特定のゴルフクラブヘッドに応じて変化し得る。ゴルフクラブヘッドはまた、ロフト、バルジ、およびロールのような、他の特色を含む。ゴルフクラブヘッドのロフトは、クラブフェースの面とシャフトのラインの交点によって形成される角である。クラブフェースのバルジは、ヒールからトウまでのクラブフェースの湾曲であり、クラブフェースのロールは、クラウンからソールまでのクラブフェースの湾曲である。
【考案の概要】
【課題を解決するための手段】
【０００２】
一態様において、本技術は、クラウン、ソール、およびクラウンおよびソールに取り付けられたクラブフェースを含むゴルフクラブヘッドに関する。クラブフェースは、中央領域、トウ領域、およびヒール領域を含む。中央領域は、少なくとも８０％の中央領域の高さ横断カバー範囲、少なくとも８０％の中央領域の幅横断カバー範囲、または少なくとも２５％の中央領域の表面積カバー範囲の少なくとも１つを提供する第１の複数のレーザ生成フィーチャを含む。トウ領域は、少なくとも５０％のトウ領域の高さ横断カバー範囲、少なくとも５０％のトウ領域の幅横断カバー範囲、または少なくとも２５％のトウ領域の表面積カバー範囲の少なくとも１つを提供する第２の複数のレーザ生成フィーチャを含む。ヒール領域は、少なくとも５０％のヒール領域の高さ横断カバー範囲、少なくとも５０％の幅横断カバー範囲、または少なくとも２５％のヒール領域の表面積カバー範囲の少なくとも１つを提供する第３の複数のレーザ生成フィーチャを含む。
【０００３】
一例において、中央領域の高さ横断カバー範囲は少なくとも９０％であり、中央領域の幅横断カバー範囲は少なくとも９０％である。他の一例において、中央領域の表面積カバー範囲は少なくとも２５％である。さらに他の一例において、中央領域の表面積カバー範囲は少なくとも５０％である。さらに他の一例において、クラブフェースはヒールからトウ方向において最大幅を有し、中央領域はクラブフェースの最大幅の３０〜５０％の間で最大幅を有する。さらなる一例において、第１の複数のレーザ生成フィーチャは物理的気相成長（ＰＶＤ）コーティングで覆われている。
【０００４】
他の一例において、第２の複数のレーザ生成フィーチャはＰＶＤコーティングで覆われていない。さらなる一例において、ＰＶＤコーティングは暗いコーティングであり、第１の複数のレーザ生成フィーチャは、第１の複数のレーザ生成フィーチャを覆っているＰＶＤコーティングのために第２の複数のレーザ生成フィーチャより暗く見え、これによって中央領域とトウ領域との間にコントラストを作成している。さらに他の一例において、第１の複数のレーザ生成フィーチャの一部はクラウンペイントによって覆われている。
【０００５】
他の一例において、本技術は、クラウン、ソール、およびクラウンおよびソールに取り付けられ、中央領域、トウ領域、およびヒール領域を含むクラブフェースを含むゴルフクラブヘッドに関する。中央領域は、少なくとも９０％の中央領域の高さ横断カバー範囲、少なくとも９０％の中央領域の幅横断カバー範囲、または少なくとも２５％の中央領域の表面積カバー範囲の少なくとも２つを提供する第１の複数のレーザ生成フィーチャを含む。トウ領域は、少なくとも６０％のトウ領域の高さ横断カバー範囲、少なくとも６０％のトウ領域の幅横断カバー範囲、または少なくとも１０％のトウ領域の表面積カバー範囲の少なくとも２つを提供する第２の複数のレーザ生成フィーチャを含む。ヒール領域は、少なくとも６０％のヒール領域の高さ横断カバー範囲、少なくとも６０％の幅横断カバー範囲、または少なくとも１０％のヒール領域の表面積カバー範囲の少なくとも２つを提供する第３の複数のレーザ生成フィーチャを含む。
【０００６】
一例において、中央領域の高さ横断カバー範囲は少なくとも９０％であり、中央領域の幅横断カバー範囲は少なくとも９０％である。他の一例において、中央領域の表面積カバー範囲は少なくとも５０％である。さらに他の一例において、第１の複数のレーザ生成フィーチャは物理的気相成長（ＰＶＤ）コーティングで覆われており、第２の複数のレーザ生成フィーチャはＰＶＤコーティングで覆われておらず、第１の複数のレーザ生成フィーチャは、第１の複数のレーザ生成フィーチャを覆っているＰＶＤコーティングのために第２の複数のレーザ生成フィーチャより暗く見え、これによって中央領域とトウ領域との間にコントラストを作成している。さらに他の一例において、第１の複数のレーザ生成フィーチャは第１の色であり、第２の複数のレーザ生成フィーチャは第２の色である。
【０００７】
他の一態様において、本技術は、ゴルフクラブヘッドを製造するための方法に関する。この方法は、１つまたは複数のレーザによって、クラブフェースの中央領域上に第１の複数のレーザ生成フィーチャを生成するステップを含み、第１の複数のレーザ生成フィーチャは、少なくとも８０％の中央領域の高さ横断カバー範囲、少なくとも８０％の中央領域の幅横断カバー範囲、または少なくとも５０％の中央領域の表面積カバー範囲の少なくとも１つを提供する。この方法はまた、第１の複数のレーザ生成フィーチャを覆うようにクラブフェースにコーティングを適用するステップを含む。この方法は、１つまたは複数のレーザによって、クラブフェースのトウ領域上に第２の複数のレーザ生成フィーチャを生成するステップであって、第２の複数のレーザ生成フィーチャを生成することにより、トウ領域上のコーティングの一部を除去する、ステップと、１つまたは複数のレーザによって、クラブフェースのヒール領域上に第３の複数のレーザ生成フィーチャを生成するステップであって、第３の複数のレーザ生成フィーチャを生成することにより、ヒール領域上のコーティングの一部を除去する、ステップと、をさらに含む。
【０００８】
一例において、コーティングはＰＶＤコーティングであり、第１の複数のレーザ生成フィーチャは第２の複数のレーザ生成フィーチャより暗く見え、これによって中央領域とトウ領域との間にコントラストを作成している。他の一例において、第１の複数のレーザ生成フィーチャおよび第２の複数のレーザ生成フィーチャは同じレーザから生成される。さらなる一例において、中央領域の高さ横断カバー範囲は少なくとも９０％であり、中央領域の幅横断カバー範囲は少なくとも９０％である。さらに他の一例において、中央領域の表面積カバー範囲は少なくとも１５％である。さらに他の一例において、この方法は、第１の複数のレーザ生成フィーチャの一部がペイントによって覆われるようにゴルフクラブヘッドのクラウンにペイントを施すステップをさらに含む。
【０００９】
この概要は、詳細な説明において以下でさらに説明する概念の選択を簡素化した形で紹介するために提供されている。この概要は、登録請求された主題の重要な特徴または必須の特徴を特定するように意図されておらず、また登録請求された主題の範囲を限定するために用いられるようにも意図されていない。
【００１０】
次の図を参照して、非限定的かつ非網羅的な例を説明する。
【図面の簡単な説明】
【００１１】
【図１】ゴルフクラブヘッドの分解斜視図を示す。
【図２】レーザ生成フィーチャを備えたクラブフェースを有する例示のゴルフクラブヘッドを示す。
【図３Ａ】レーザ生成フィーチャを備えたクラブフェースを有する例示のゴルフクラブヘッドを示す。
【図３Ｂ】レーザ生成フィーチャを備えたクラブフェースを有する例示のゴルフクラブヘッドを示す。
【図３Ｃ】レーザ生成フィーチャを備えたクラブフェースを有する例示のゴルフクラブヘッドを示す。
【図３Ｄ】レーザ生成フィーチャを備えたクラブフェースを有する例示のゴルフクラブヘッドを示す。
【図３Ｅ】レーザ生成フィーチャを備えたクラブフェースを有する例示のゴルフクラブヘッドを示す。
【図３Ｆ】レーザ生成フィーチャを備えたクラブフェースを有する例示のゴルフクラブヘッドを示す。
【図４】レーザ生成フィーチャを備えたゴルフクラブヘッドを製造するための例示の製造方法を示す。
【考案を実施するための形態】
【００１２】
ゴルフクラブのような、道具またはスポーツ用品がどのように用いられるべきであるかを理解および確認することにより、その道具の効果が増大する。たとえば、打たれるべき物体に関して道具がどこにあるかを見ることができることは有益である。インパクトサーフェスの他の側面または特色を見ることができることも、道具を操作するのに有用である。しかしながら、道具のインパクトサーフェスを使用中に見ることが難しい、または使用中わずかな角度からしか見ることができないとき、このような特徴を見ることは特に困難になる。
【００１３】
ゴルフクラブでは、インパクトサーフェスはゴルフクラブヘッドのクラブフェースである。プレーヤーがゴルフクラブでゴルフボールをアドレスしているとき、プレーヤーはゴルフクラブヘッドを見下ろしており、ゴルフクラブヘッドのクラウンをはっきりと見ることができる。しかしながら、ドライバーまたは他の低ロフトのゴルフクラブでは、打撃フェースは、クラブフェースを見るのに困難が生じる狭い角度で見られる。したがって、スイートスポットの場所、クラブフェースのロフト、クラブフェースのバルジ、および／またはクラブフェースのロールのような、クラブフェースの特色または特徴を適切に認知することは困難である。したがって、プレーヤーはゴルフクラブを適切に位置合わせして最終的にゴルフボールを適切に打つように苦闘するが、ゴルフクラブヘッドの性能が低くなるという結果になることがある。
【００１４】
本技術の例は、スイートスポットまたは最適な打撃エリアのような、クラブフェースの特色の強化された視覚的指標を提供するレーザ生成フィーチャ（ｌａｓｅｒ−ｇｅｎｅｒａｔｅｄ  ｆｅａｔｕｒｅｓ）を提供する。したがって、ゴルフクラブヘッドをゴルフボールに適切に位置合わせするプレーヤーの能力が強化され、ゴルフクラブヘッドの効用が改善される。レーザエングレービングおよび／またはレーザマーキングプロセスはまた、クラブフェースの領域間のコントラストおよび／またはクラブフェースとクラウンとの間のコントラストを提供することができる。コントラストは、クラブフェースのロフト、バルジ、および／またはロールを見るプレーヤーの能力を向上させる効果を有することができ、これにより、ゴルフクラブヘッドを用いるときのプレーヤーの生体力学的反応を向上させることができ、さらなる改善された結果につながる。
【００１５】
クラブフェースのレーザ生成フィーチャおよびコントラストは、製造プロセスの組み合わせを通して達成することができる。たとえば、製造プロセスは、物理的気相成長（ＰＶＤ）コーティングのような、コーティングまたは仕上げ材をクラブフェースに提供するステップを含むことができる。コーティングはクラブフェースを暗くすることができる。レーザ生成フィーチャは、コーティングの適用の前および後に生成することができる。レーザ生成フィーチャがコーティングに続いて適用されるとき、レーザエングレービングプロセスによりコーティングが除去され、その結果、クラブフィーチャの残りと比較してクラブフェースのフィーチャが明るくなる。他の例において、クラブフェースはコーティングを有さないことがあり、レーザエングレービングまたはレーザマーキングプロセスを用いてクラブフェース上に暗くなったフィーチャを作成することができる。いずれの例においても、製造プロセスに対する改良を達成することができる。たとえば、他の製造プロセスは、ＰＶＤコーティングを適用する前にマスクを利用する。マスキングプロセスはマスクの位置合わせにおいて人的エラーを受けやすい。マスキングプロセスはまた、ＰＶＤチャンバ内へ汚染を導入し、これは、より低い歩留まりおよびより低品質の部分または部品の可能性につながる。本明細書で議論するレーザエングレービングおよびレーザマーキングプロセスでは、マスキングプロセスはもう必要ではない。加えて、レーザエングレービングプロセスにより、マスキングプロセスより効率的かつ正確なプロセスが可能になる。
【００１６】
図１は、ゴルフクラブヘッド１００の一例の分解斜視図を示す。ゴルフクラブヘッド１００は、クラブフェース１０２、クラウン１０４、およびソール１０６を含む。クラブフェース１０２は、本開示の範囲および内容から逸脱することなく、フェースインサート、フェースカップ、Ｌカップ、Ｃカップ、または他の構造のような、任意のタイプのクラブフェースを含むことができる。クラブフェース１０２は、チタン合金または他の金属から作製することができる。クラウン１０４は、クラブヘッド１００の頂部を形成し、金属または剛性複合物のような、剛性材料で一般に作製されている。クラウン１０４は、外側クラウン表面１２２および内側クラウン表面１２０を有する。ソール１０６は、ゴルフクラブヘッド１００の底、または裏側部分を形成し、これも金属または剛性複合物のような、剛性材料で一般に作製されている。ソール１０６は、外側ソール表面１１６および内側ソール表面１１８を有する。クラウン１０４、ソール１０６、およびクラブフェース１０２は、互いに適合させると、ゴルフクラブヘッド１００内に内部間隙を画定する。外側クラウン表面１２２および外側ソール表面１１６はまた、ペイント、コーティングまたはフィルムのような、追加の物質で被覆することができる。加えて、さらなる構造または材料を外側クラウン表面１２２および外側ソール表面１１６に取り付けることもできる。同様に、内側クラウン表面１２０および内側ソール表面１１８も、ペイントまたはコーティングのような、追加の物質で被覆することができる。内側クラウン表面１２０および内側ソール表面１１８はまた、これらの表面に取り付けられた、リブまたは他の部品のような、構造材料を有することができる。ゴルフクラブヘッド１００はまた、当業者によってよく理解されるように、シャフト１１０を取り付けるための部品を有するホーゼル１０８を含むことができる。本明細書で用いられるとき、ゴルフクラブの「ヒール」部分はホーゼル１０８に最も近い位置にあるゴルフクラブの部分であり、ゴルフクラブの「トウ」部分はホーゼル１０８から最も遠く離れたゴルフクラブの部分である。図面は概してドライバーを示すが、本明細書で議論する技術は、クラウン、クラブフェース、およびソールの両方を含む、フェアウェイメタル、ハイブリッドクラブ、および他の同様のクラブに等しく適用可能である。
【００１７】
本技術のクラブフェース１０２は１つまたは複数のレーザ生成フィーチャ１２４を含む。レーザ生成フィーチャ１２４は、さらに以下で議論するように、レーザエングレービング、レーザエッチング、および／またはレーザマーキングを通して生成することができる。打撃フェースのレーザ生成フィーチャ１２４は、ゴルフボールが打たれるべきであるクラブフェース１０２上の最適な場所の表示を提供する。たとえば、クラブフェース１０２は「スイートスポット」１２６を有する。クラブフェースのスイートスポット１２６は、ゴルフボール打撃が起こる設計された最良または最適な位置である。スイートスポット１２６の場所、大きさ、および形状は、ゴルフクラブヘッド１００の特定の設計に依存し得る。いくつかの例において、スイートスポット１２６は打撃フェースの幾何学的中心に位置することができる。他の例において、スイートスポット１２６はトウ部分とヒール部分との間のクラブフェース１０２の中心点に位置することができるが、スイートスポット１２６はクラウン１０４とソール１０６との間の中心点からずれていてもよい。異なる例において、スイートスポット１２６はクラウン１０４とソール１０６との間の中心点に位置することができるが、スイートスポット１２６はトウ部分とヒール部分との間の中心点からずれていてもよい。スイートスポット１２６の場所の他の位置も可能である。
【００１８】
前の例のいずれにおいても、スイートスポット１２６はクラブフェース１０２の中央領域１２８に位置している。中央領域１２８は、クラブフェース１０２のおよそ中央の３分の１とすることができる。トウ領域１３２が、クラブヘッド１００のトウ部分に向かって、かつ中央領域１２８に隣接して配置されている。ヒール領域１３０が、クラブヘッド１００のヒール部分に向かって、かつ中央領域１２８に隣接して配置されている。レーザ生成フィーチャ１２４は、ヒール領域１３０、中央領域１２８、および／またはトウ領域１３２に含めることができる。レーザ生成フィーチャ１２４は、クラブフェース１０２の中央領域１２８を視覚的に示すためにクラブフェース１０２上に提供されている。いくつかの例において、スイートスポット１２６の場所は、レーザ生成フィーチャ１２４によって識別することもできる。レーザ生成フィーチャ１２４は、中央領域１２８および／またはスイートスポット１２６を、これらのエリアにレーザ生成フィーチャ１２４を含めること、またはこれらのエリアの境界を画定することによって積極的に識別することができる。レーザ生成フィーチャ１２４はまた、中央領域１２８および／またはスイートスポット１２６以外のクラブフェース１０２の部分または領域にレーザ生成フィーチャ１２４を含めることによって中央領域１２８および／またはスイートスポット１２６を消極的に識別するために用いることができる。たとえば、図１に示す例において、レーザ生成フィーチャ１２４は、トウ領域１３２およびヒール領域１３０に提供することができるが、中央領域１２８には提供されていない。他の例において、第１のタイプのエングレービングフィーチャを中央領域１２８に含めることができ、第２のタイプのレーザ生成フィーチャ１２４をトウ領域１３２およびヒール領域１３０に提供することができる。クラブヘッドの溝またはスコアライン（図示せず）とは対照的に、いくつかの例において、レーザ生成フィーチャ１２４は、クラブヘッド１００によって打たれるゴルフボールの飛行にほとんどから全く効果を有し得ない。すなわち、レーザ生成フィーチャ１２４の深さは、溝またはスコアラインと比較して極めて小さくすることができる。
【００１９】
図２は、レーザ生成フィーチャ２２４Ａ〜Ｃを備えたクラブフェース２０２を有する例示のゴルフクラブヘッド２００を示す。ゴルフクラブヘッドは、クラウン２０４、ソール２０６、ホーゼル２０８、およびクラブフェース２０２を有する。クラブフェース２０２は、クラブがアドレス状態のときに地面に平行なトウからヒール方向で測定される最大幅Ｗを有する。クラブフェース２０２はまた最大高さＨを有し、これは、クラブがアドレス状態のときに地面に直交する線に沿ったフェース上の二点間の最大距離である。図２に示す幅Ｗおよび高さＨは測定方向を示すが、クラブフェース２０２の実際の測定値でなくてもよい。クラブフェース２０２は、中央領域２２８、ヒール領域２３０、およびトウ領域２３２を含む。中央領域２２８は、クラブフェース２０２のおよそ中央の３分の１を含むことができる。たとえば、中央領域の最大幅は、クラブフェース２０２の最大幅Ｗのおよそ３分の１とすることができる。他の例において、中央領域２２８は、クラブフェース２０２の幅Ｗの少なくとも３５％、４０％、４５％、または５０％の最大幅を有することができる。中央領域２２８の最大幅は、クラブフェース２０２の幅Ｗの３０〜５０％の間とすることができる。ヒール領域２３０およびトウ領域２３２は同じ最大幅を有することができ、これは中央領域２２８によって含まれないクラブフェース２０２の残りの幅Ｗの半分と等しくすることができる。中央領域２２８は、クラブフェース２０２の全高Ｈを延在する。クラブフェース２０２の形状のため、ヒール領域２３０およびトウ領域２３２は、クラブフェース２０２の最大高さＨ未満の高さを有することができる。
【００２０】
クラブフェース２０２は、物理的気相成長（ＰＶＤ）コーティングのような、コーティングまたは仕上げ材を含み、これは、クラブフェース２０２上の小斑点によって示されている。コーティングは、レーザ生成フィーチャ２２４Ａ〜Ｃを生成する前および／または後に適用することができる。フェースに適用されているコーティングに続いてレーザ生成フィーチャ２２４Ａ〜Ｃが生成されるとき、レーザ生成フィーチャ２２４Ａ〜Ｃを生成することは、コーティングの一部を除去または蒸発させることを含むことができる。
【００２１】
クラブフェース２０２は、クラブフェース２０２にわたってコントラストを作成する複数のレーザ生成フィーチャ２２４Ａ〜Ｃを含む。第１の複数のレーザ生成フィーチャ２２４Ａは、クラブフェース２０２の中央領域２２８に含まれている。第１の複数のレーザ生成フィーチャ２２４Ａはひし形の形状であるが、他の形状および設計も可能である。例において、フィーチャの特定の形状は審美的な選択に基づくことができる。第１の複数のレーザ生成フィーチャ２２４Ａは、ＰＶＤコーティングのような、コーティングの適用前または後に生成することができる。第１の複数のレーザ生成フィーチャ２２４Ａを生成するレーザプロセスはまた、レーザ生成フィーチャ２２４Ａを青のような特定の色にすることができる。第１の複数のレーザ生成フィーチャ２２４Ａは、クラウン２０４のペイントまたはコーティングの下で延在することができる。たとえば、第１の複数のレーザ生成フィーチャ２２４Ａは、クラウン２０４のために用いられる同じペイント、コーティング、またはカバーリングで、後にペイント、コーティング、またはカバーリングされるゴルフクラブヘッド２００の領域上に提供することができる。
【００２２】
第１の複数のレーザ生成フィーチャ２２４Ａは、中央領域２２８のほとんど全体にわたって含まれている。したがって、第１の複数のレーザ生成フィーチャ２２４Ａは、トウ領域２３２およびヒール領域２３０と比較して中央領域２２８に集合的コントラストを提供している。一例として、第１の複数のレーザ生成フィーチャ２２４Ａは、中央領域２２８の少なくとも５０％、６０％、７０％、８０％、または９０％をカバーすることができる。第１の複数のレーザ生成フィーチャ２２４Ａによる中央領域２２８のカバー範囲を増やすことによって、コントラスト効果はさらに強化され、ゴルフクラブの効用は増大し、したがってゴルフクラブヘッドの性能が向上する。
【００２３】
第１の複数のレーザ生成フィーチャ２２４Ａによる中央領域のカバー範囲は、複数の異なる方法で測定することができる。たとえば、レーザ生成フィーチャ２２４Ａがあるかどうかの判定が各高さおよび／または幅増分でなされる場合、横断測定方法を用いることができる。高さ横断測定方法においては、領域の全高における各高さ増分についてその特定の高さ増分でレーザ生成フィーチャ２２４Ａがあるかどうかの判定がなされる。高さ増分は１ｍｍ以下、たとえば０．１ｍｍとすることができる。その特定の高さ増分でレーザ生成フィーチャ２２４Ａがあれば、中央領域２２８はその特定の高さ増分でカバーされていると考えられる。高さ横断測定方法によるカバー範囲は、高さ増分の合計数と比較したレーザ生成フィーチャ２２４Ａを含む高さ増分の数であり、このようなカバー範囲を本明細書において高さ横断カバー範囲と呼ぶ。高さ横断カバー範囲は、百分率、分数、または小数表現の形式で表現することができる。図２に示す例において、中央領域２２８が第１の複数のレーザ生成フィーチャ２２４Ａによって覆われていない高さは、ソールに非常に近いクラブフェース２０２の高さのみである。したがって、中央領域２２８の高さ横断カバー範囲は少なくとも９８％である。他の例において、中央領域２２８の高さ横断カバー範囲は、他の値の中でも、８０％、９０％、または９５％より大きくすることができる。
【００２４】
幅横断測定方法を用いることもできる。幅横断測定方法においては、領域の全幅における各幅増分についてレーザ生成フィーチャ２２４Ａがあるかどうかの判定がなされる。幅増分は１ｍｍ以下、たとえば０．０１ｍｍとすることができる。その特定の幅増分でレーザ生成フィーチャ２２４Ａがあれば、中央領域２２８はその特定の幅増分でカバーされていると考えられる。幅横断測定方法によるカバー範囲は、幅増分の合計数と比較したレーザ生成フィーチャ２２４Ａを含む幅増分の数であり、このようなカバー範囲を本明細書において幅横断カバー範囲と呼ぶ。幅横断カバー範囲は、百分率、分数、または小数表現の形式で表現することができる。図２に示す例において、中央領域２２８の各幅増分がレーザ生成フィーチャ２２４Ａを含む。したがって、中央領域２２８の幅横断カバー範囲は１００％である。他の例において、中央領域２２８の幅横断カバー範囲は、他の値の中でも、８０％、９０％、または９５％より大きくすることができる。
【００２５】
表面積測定方法を用いることもできる。表面積測定方法においては、レーザ生成フィーチャ２２４Ａを含む中央領域２２８の表面積が中央領域２２８の総表面積と比較される。たとえば、レーザでマーク、エッチング、および／またはエングレービングされた表面積が、その領域についての総表面積と比較される。カバー範囲は、百分率、分数、または小数表現の形式で表現することができ、このようなカバー範囲を本明細書において表面積カバー範囲と呼ぶ。図２に示す例において、表面積カバー範囲は、ひし形パターンの幅線が用いられたため、幅横断カバー範囲または高さ横断カバー範囲より少ない。したがって、中央領域２２８についての表面積カバー範囲はおよそ２５％より大きくすることができる。表面積カバー範囲は、第１の複数のレーザ生成フィーチャ２２４Ａのパターンおよびフィーチャの線の太さに基づいて変化する。たとえば、他の例において、中央領域２２８についての表面積カバー範囲は、少なくとも４０％、５０％、６０％、７０％またはこれより大きくすることができる。
【００２６】
トウ領域２３２およびヒール領域２３０も、第２の複数のレーザ生成フィーチャ２２４Ｂおよび第３の複数のレーザ生成フィーチャ２２４Ｃを含む。第２の複数のレーザ生成フィーチャ２２４Ｂは、ヒールからトウ方向を指すやり形状フィーチャを含むことができる。第３の複数のレーザ生成フィーチャ２２４Ｃは、ヒールからトウ方向に走るラインセグメントを含むことができる。第３の複数のレーザ生成フィーチャ２２４Ｃは、クラウン２０４のペイントまたはコーティングの下で延在することができる。たとえば、第３の複数のレーザ生成フィーチャ２２４Ｃは、クラウン２０４のために用いられる同じペイント、コーティング、またはカバーリングで、後にペイント、コーティング、またはカバーされるゴルフクラブヘッド２００の領域上に提供することができる。第３の複数のレーザ生成フィーチャ２２４Ｃはまた、クラブフェース２０２の下方境界の形状に合うような輪郭の縞を含むことができる。その縞は、クラブフェース２０２の周囲からある離隔距離だけ外すことができる。離隔距離は、５ｍｍ、たとえば２ｍｍ未満とすることができる。その離隔は、クラブフェース２０２の周囲から、またはたとえばブラッシングプロセスによって、仕上げまたは被覆されているクラブフェースエリアの端部からとすることができる。
【００２７】
例において、やり形状のような、レーザ生成フィーチャ２２４Ｂ〜Ｃの特定の形状は、審美的な設計選択に基づいて選択することができる。しかしながら、上で議論したように、レーザ生成フィーチャ２２４Ａ〜Ｃの組み合わせおよびカバー範囲の全体的なコントラスト効果により、ゴルフクラブヘッドに機能的利益が提供される。第２の複数のレーザ生成フィーチャ２２４Ｂおよび第３の複数のレーザ生成フィーチャ２２４Ｃは、コーティングがクラブフェース２０２に適用される前および／または後に生成することができる。レーザ生成フィーチャ２２４Ｂ〜Ｃによるトウ領域２３２およびヒール領域２３０のカバー範囲は、高さ横断測定方法、幅横断測定方法、および／または表面積測定方法を用いて判定することができる。クラブフェース全体についても同様に、高さ横断カバー範囲、幅横断カバー範囲、および表面積カバー範囲を判定することができる。
【００２８】
図２に示すクラブフェースを製造するための一例において、第１の複数のレーザ生成フィーチャ２２４Ａは、黒いＰＶＤコーティングの適用の前に生成（たとえば、レーザエングレービング、エッチング、および／またはマーク）することができる。第２の複数のレーザ生成フィーチャ２２４Ｂおよび第３の複数のレーザ生成フィーチャ２２４Ｃは、黒いＰＶＤコーティングの適用後に生成することができる。他の例において、すべてのレーザ生成フィーチャ２２４Ａ〜Ｃは、ＰＶＤコーティング前または後に生成することができる。さらに他の例において、ＰＶＤコーティングは、中央領域２２８またはトウ領域２３２およびヒール領域２３０にのみ適用することができる。さらに他の例において、ＰＶＤコーティングは適用しなくてもよい。ＰＶＤコーティングの前にレーザ生成フィーチャを生成することにより、結果として、暗いＰＶＤコーティングで被覆された後にレーザ生成フィーチャをより暗くすることができる。逆に、ＰＶＤコーティングの適用に続いてレーザ生成フィーチャを生成することにより、結果として、レーザ生成フィーチャをより明るくすることができる。したがって、ＰＶＤコーティングの前にレーザ生成フィーチャを中央部分に生成し、ＰＶＤコーティングの後にレーザ生成フィーチャをトウ部分およびヒール部分に生成することによって、中央領域とトウおよびヒール領域との間の追加のコントラストを達成することができ、その結果、ゴルフクラブヘッドの機能性が改善される。
【００２９】
高さ横断カバー範囲、幅横断カバー範囲、および表面積カバー範囲のいくつかの例の組み合わせを以下の表に提供する。
【００３０】
【表１】
0003233491.tif 000003
【００３１】
【表２】
0003233491.tif 000004
【００３２】
【表３】
0003233491.tif 000005
【００３３】
【表４】
0003233491.tif 000006
【００３４】
【表５】
0003233491.tif 000007
【００３５】
【表６】
0003233491.tif 000008
【００３６】
【表７】
0003233491.tif 000009
【００３７】
【表８】
0003233491.tif 000010
【００３８】
図３Ａ〜図３Ｆは、レーザ生成フィーチャ３２４を備えたクラブフェースを有する例示のゴルフクラブヘッド３００を示す。ゴルフクラブヘッド３００のそれぞれは、クラブフェース３０２、クラウン３０４、ソール３０６、およびホーゼル３０８を含む。しかしながら、クラブフェース３０２のそれぞれにおけるレーザ生成フィーチャ３２４は異なり、クラブフェース３０２全体に異なるコントラスト効果を提供する。レーザ生成フィーチャ３２４によるクラブフェース３０２のカバー範囲は、上で議論し、かつ上の表にある範囲内とすることができる。
【００３９】
図３Ａの例示のクラブフェース３０２は、図２に示す例示のゴルフクラブヘッド２００のレーザ生成フィーチャと同様のレーザ生成フィーチャ３２４を含む。たとえば、図３Ａにおけるクラブフェース３０２は、クラブフェース３０２の中央領域３２８に第１の複数のレーザ生成フィーチャ３２４Ａを含む。ひし形形状ではなく、第１の複数のレーザ生成フィーチャ３２４Ａは、傾斜またはシェブロンパターンを有する。クラブフェース３０２はまた、図２に関して上で議論した第２の複数のレーザ生成フィーチャ２２４Ｂおよび第３の複数のレーザ生成フィーチャ２２４Ｃと実質的に同様の第２の複数のレーザ生成フィーチャ３２４Ｂおよび第３の複数のレーザ生成フィーチャ３２４Ｃを含む。クラブフェース３０２は第４のレーザエングレービングフィーチャ３２４Ｄをさらに含み、これはロゴまたは他の印とすることができる。第４のレーザエングレービングフィーチャ３２４Ｄは、コーティングが適用される前または後に生成することができる。
【００４０】
図３Ｂは、第１の複数のレーザ生成フィーチャ３２４Ａおよび第２のレーザ生成フィーチャ３２４Ｂを備えた他の例示のクラブフェース３０２を示す。第１の複数のレーザ生成フィーチャ３２４Ａは、ヒールからトウ方向にクラブフェース３０２を横切って延在する線を含む。第１の複数のレーザ生成フィーチャ３２４の太さ（たとえば、線の太さ）は、クラウン３０４およびソール３０６に対する線の位置に基づいて変化させることができる。たとえば、クラウン３０４の近くの第１の複数のレーザ生成フィーチャ３２４Ａは、ソール３０６の近くの第１の複数のレーザ生成フィーチャ３２４より太い。クラウン３０４の最も近くのレーザ生成フィーチャ３２４Ａの太さは０．４ｍｍとすることができ、ソール３０６の最も近くのレーザ生成フィーチャの太さは０．１ｍｍとすることができる。最も太いレーザ生成フィーチャ３２４Ａと最も細いレーザ生成フィーチャ３２４Ｂとの間の比率は、２：１から６：１の間とすることができる。他の例において、最も細いレーザ生成フィーチャ３２４Ａがクラウン３０４の近くにあり、最も太いレーザ生成フィーチャ３２４Ａがソール３０６の近くにあるように、太さの変化を逆にすることができる。第１の複数のレーザ生成フィーチャを含めることにより、ゴルフクラブヘッドのロフト、バルジ、およびロールのような、ゴルフクラブヘッド３００の特色をプレーヤーがより良く認知することが可能になることによって、ゴルフクラブヘッドの機能性を改善することができる。第２のレーザ生成フィーチャ３２４Ｂはロゴまたは他の印とすることができる。第１の複数のレーザ生成フィーチャ３２４Ａは第２のレーザ生成フィーチャ３２４Ｂと重複しない。
【００４１】
図３Ｃは、第１の複数のレーザ生成フィーチャ３２４Ａおよび第２の複数のレーザ生成フィーチャ３２４Ｂを備えた他の例示のクラブフェース３０２を示す。第１の複数のレーザ生成フィーチャ３２４Ａは、クラブフェース３０２の中央領域３２８に配置されている。第１の複数のレーザ生成フィーチャ３２４Ａは、クラウンからソール方向に走る線として形成されている。第１の複数のレーザ生成フィーチャ３２４Ａの太さは、クラウン３０４からソール３０６に向かって減少させることができる。したがって、レーザ生成フィーチャ３２４Ａのそれぞれの最も細い部分はソール３０６の最も近くの点とすることができ、レーザ生成フィーチャ３２４Ａのそれぞれの最も太い部分はクラウン３０４の最も近くの点とすることができる。トウ領域３３２およびヒール領域３３０は第２の複数のレーザ生成フィーチャ３２４Ｂを含む。第２の複数のレーザ生成フィーチャ３２４Ｂは、図３Ｂに示して上述した第１の複数のレーザ生成フィーチャと実質的に同様である。中央領域３２８はまた、ロゴまたは他の印とすることができる第３のレーザ生成フィーチャ３２４Ｃを含む。第３のレーザ生成フィーチャ３２４Ｃは、ゴルフクラブのスイートスポットまたはその近くに配置してスイートスポットの場所を示すことができる。
【００４２】
図３Ｄは、図３Ｂに示して上で議論した第１の複数のレーザ生成フィーチャ３２４Ａと実質的に同様の第１の複数のレーザ生成フィーチャ３２４Ａを備えた他の例示のクラブフェース３０２を示す。クラブフェース３０２はまた、第２の複数のレーザ生成フィーチャ３２４Ｂおよび第３の複数のレーザ生成フィーチャ３２４Ｃを含む。第２の複数のレーザ生成フィーチャ３２４Ｂは複数の方向に延在し、中央領域を識別するのを助けるように配置することができる。第３の複数のレーザ生成フィーチャ３２４Ｃは、ゴルフクラブヘッド３００の溝またはスコアラインにより似て見えるように形成することができる。第４のレーザ生成フィーチャ３２４Ｄをスイートスポットに配置してスイートスポットの場所を示すことができる。
【００４３】
図３Ｅは、第１の複数のレーザ生成フィーチャ３２４Ａ、第２の複数のレーザ生成フィーチャ３２４Ｂ、および第３のレーザ生成フィーチャ３２４Ｃを有する他の例示のクラブフェース３０２を示す。第１の複数のレーザ生成フィーチャ３２４Ａは、図３Ｂに示して上で議論した第１の複数のレーザ生成フィーチャ３２４Ａと同様とすることができる。しかしながら、図３Ｅにおける第１の複数のレーザ生成フィーチャ３２４Ａは、一貫したライン太さを有することができる。第２の複数のレーザ生成フィーチャ３２４Ｂは、中央領域において第１の方向で、トウ領域およびヒール領域において異なる方向で延在する。したがって、プレーヤーは、クラブフェース３０２の幅の中心部分および／または中心点をより容易に識別することができ得る。第３のレーザ生成フィーチャ３２４Ｃはスイートスポットに配置され、プレーヤーがスイートスポットを識別することができる。
【００４４】
図３Ｆは、第１の複数のレーザ生成フィーチャ３２４Ａおよび第２のレーザ生成フィーチャ３２４Ｂを有する他の例示のクラブフェースを示す。レーザ生成フィーチャ３２４は、ヒールからトウ方向に走る線として形成されている。第１の複数のレーザ生成フィーチャ３２４Ａのそれぞれは一貫した太さを有する。第２のレーザ生成フィーチャ３２４Ｂは、プレーヤーがクラブフェース３０２の横方向幾何学的中心を識別するのを助けるようにクラブフェース３０２の中心幅に配置され、位置合わせに役立つようにフェース上により多くのコントラストを提供している。
【００４５】
図４は、ゴルフクラブヘッドを製造するための例示の方法４００を示す。動作４０２で、ゴルフクラブヘッドのためのクラブフェースがブラッシングおよび／または研磨される。ブラッシングおよび／または研磨プロセスにより、クラブフェース上に１つのタイプの初期仕上げが提供される。フェースのブラッシングおよび／または研磨は機械的プロセスとすることができ、水平方向（たとえば、ヒールからトウ方向に）、垂直方向（たとえば、クラウンからソール方向に）、または他の方向に実行することができる。
【００４６】
動作４０４で、第１の複数のクラブフェースフィーチャがクラブフェース上にレーザ生成される。第１の複数のレーザ生成フィーチャは、他の可能なレーザ生成フィーチャの中でも、上で議論したレーザ生成フィーチャのいずれかとすることができる。第１の複数のレーザ生成フィーチャは第１の色とすることができる。第１の色は金色とすることができるが、他の色も可能である。第１のセットのレーザ生成フィーチャは、中央領域の表面の大部分を覆うことができる。他の例において、第１のセットのレーザ生成フィーチャは、トウ領域および／またはヒール領域の表面の大部分を覆うことができる。たとえば、中央領域の高さ横断カバー範囲および幅横断カバー範囲は、９０％より大きくすることができる。特定の領域の大部分を覆うことによって、領域間の追加のコントラストを生成することができる。加えて、クラウンまたはホーゼルのような、クラブヘッドの他の部品間のコントラストを生成することもできる。第１の複数のレーザ生成フィーチャは、ＰＶＤコーティングのような、コーティングの適用の前に生成される。このような動作の順序は、一般にＰＶＤの適用後に任意のタイプのエングレービングを実行していた以前の方法とは反対である。加えて、いかなるこのようなＰＶＤ後エングレービングも、本技術によって提供されるものより小さなスケールであった。また、現在のレーザ生成フィーチャのスケールは以前の方法でも提供されるが、このような大規模な、カバー範囲の広いフィーチャをレーザで生成すれば時間がかかり過ぎ、このようなプロセスの間の発熱が高くなり過ぎるおそれがあって、基の製品に損傷を起こす可能性があると想定されていた。
【００４７】
クラブフェース上にフィーチャをレーザ生成することは、レーザエッチングプロセス、レーザエングレービングプロセス、および／またはレーザマーキングプロセスを通して実行することができる。レーザエングレービングプロセスおよびレーザエッチングプロセスは、レーザ源から生成されるレーザビームの使用を通してフェースから材料を除去する。レーザエングレービングプロセスは、強力なレーザビームを用いて材料をクラブフェースから加熱および効果的に蒸発させる。いくつかの例において、レーザエングレービングフィーチャの深さは、０インチと０．０２インチとの間とすることができる。レーザエッチングプロセスはレーザエングレービングプロセスと同様であってもよく、レーザエッチングプロセスはクラブフェースの材料を溶かすことができる。溶けた材料は膨張して隆起マークを引き起こすことができる。レーザエッチングフィーチャの深さは、０．０００と０．００１インチとの間とすることができる。
【００４８】
レーザマーキングプロセスは材料を変色させ得るが、材料のいずれも除去しない（または非常に小さい量の材料を除去する）ことがある。レーザマーキングプロセスは、より低パワービームを用いてクラブフェースの色の変化または変退色を作成することができる。レーザマーキングプロセスは、焼きなましプロセス、炭素移動プロセス、および／または着色プロセスとすることができる。焼きなましプロセスは、レーザによってクラブフェース上に生成される熱のために金属の酸化を起こすことができる。焼きなましプロセスは、暗くなったフィーチャ（黒いフィーチャのような）を作成することができ、黄、赤、および緑のような、他の色のフィーチャを生成するために用いることもできる。炭素移動技術は、材料の炭素特性を表面上に現し、より暗いフィーチャを作成する。着色プロセスは、クラブフェースの表面の色を多種多様な色に変えることができる。いくつかの例において、着色プロセスは、他の方法の中でも、薄い酸化膜を、その膜で起こる光干渉のために色を作成する金属表面上に生成し、サブ波長ナノ粒子を生成する、および／または表面上に周期的格子を構成する、レーザ酸化のような、複数の異なる方法を介して達成することができる。クラブフェースの表面上に異なる色を生成することは、他の特性の中でも、レーザ周波数、パワー、スピード、および／または焦点距離のような、レーザ特性を変えることに基づくことができる。
【００４９】
動作４０６で、第２の複数のクラブフェースフィーチャがレーザ生成される。レーザ生成プロセスは、動作４０６において上述したレーザ生成プロセスと同様とすることができる。第２の複数のレーザ生成フィーチャは、他のタイプのレーザ生成フィーチャの中でも、上述のレーザ生成フィーチャのいずれかとすることができる。第２のセットのレーザ生成フィーチャは第２の色のためとすることができる。第２の色は青とすることができるが、他の色も可能である。第２の色を生成するため、別個のレーザを利用することができ、または同じレーザの特色を調整することもできる。たとえば、レーザの焦点長さ、露光時間、および／またはパワーを調整して、レーザによって生成されるフィーチャの結果の色を変えることができる。
【００５０】
動作４０８で、クラブフェース上に生成されている第１の複数のレーザ生成フィーチャおよび第２の複数のレーザ生成フィーチャに続いて、クラブフェースにコーティングが適用される。コーティングは、他のタイプのコーティングの中でもＰＶＤコーティングとすることができる。ＰＶＤコーティングを用いてクラブフェースを暗くすることができる。第１の複数および第２の複数のレーザ生成フィーチャを、少なくとも部分的に、コーティングを通して依然として見ることができるように、コーティングの厚さを設定することができる。
【００５１】
動作４１０で、コーティングの適用に続いて、第３の複数のクラブフェースフィーチャがクラブフェース上にレーザ生成される。第３の複数のレーザ生成フィーチャは、他の可能なフィーチャの中でも、上述のレーザ生成フィーチャのいずれかとすることができる。第３の複数のレーザ生成フィーチャは、動作４０４で生成された第１の複数のレーザ生成フィーチャと同じ色とすることができる。コーティングに続いてフィーチャをレーザ生成することにより、レーザビームによってコーティングを除去または蒸発させることができる。コーティングが、黒いＰＶＤのような、暗いコーティングである場合、レーザ生成プロセスにより、その暗いコーティングを除去することによって、レーザビームが向けられているクラブフェースの部分が明るくなる。動作４１２で、またコーティングの適用に続いて、第４の複数のクラブフェースフィーチャがレーザ生成される。第４の複数のレーザ生成フィーチャは、他の可能なフィーチャの中でも、上述のレーザ生成フィーチャのいずれかとすることができる。第４の複数のレーザ生成は、第１の複数のレーザ生成フィーチャと同じ色とすることができる。
【００５２】
クラブフェース上に製造されているレーザ生成フィーチャに続いて、動作４１４で、クラウンのような、クラブヘッドの１つまたは複数の部品にペイントまたは他のコーティングが加えられる。ペイントは、クラウンの近くに配置されたレーザ生成フィーチャの一部のような、レーザ生成フィーチャの一部を覆うことができる。
【００５３】
本開示のいくつかの態様を、ブロック図を参照して上述している。ブロックに記された機能、動作、および／または行為は、任意のそれぞれのフローチャートに示す順番から外れて起こってもよい。たとえば、連続して示す２つのブロックは実際、関わる機能性および実装形態に応じて、実質的に同時に、または逆の順番で実施または実行することができる。
【００５４】
本開示は、本技術のいくつかの実施形態を添付の図面を参照して説明しており、図面においては可能な実施形態のいくつかのみを示した。しかしながら、他の態様を多くの異なる形で具現化することができ、これらを本明細書に記載の実施形態に限定されているとして解釈すべきではない。むしろ、本開示が徹底的かつ完全であり、可能な実施形態の範囲を当業者に完全に伝えるように、これらの実施形態が提供された。さらに、本明細書および請求項で用いられるとき、「要素Ａ、要素Ｂ、または要素Ｃの少なくとも１つ」という句は、要素Ａ、要素Ｂ、要素Ｃ、要素ＡおよびＢ、要素ＡおよびＣ、要素ＢおよびＣ、および要素Ａ、Ｂ、およびＣのいずれかを伝えるように意図されている。さらに、当業者は、「約」または「実質的に」のような用語が伝える程度を本明細書に利用された測定技術に照らして理解するであろう。このような用語が明確に定義されていない、または当業者によって理解され得ない限りにおいて、「約」という用語は、プラスマイナス１０パーセントを意味することとする。
【００５５】
具体的な実施形態を本明細書で説明しているが、本技術の範囲はこれらの具体的な実施形態に限定されない。また、異なる例および実施形態を別に説明することができるが、このような実施形態および例を、本明細書に記載の技術を実装する際に互いに組み合わせることができる。当業者は、本技術の範囲および精神の中にある他の実施形態または改良を認識するであろう。したがって、具体的な構造、行為、または媒体は、例示的な実施形態としてのみ開示されている。本技術の範囲は、次の請求項およびその中のあらゆる等価物によって定義される。
【符号の説明】
【００５６】
１００  ゴルフクラブヘッド
１０２  クラブフェース
１０４  クラウン
１０６  ソール
１０８  ホーゼル
１１０  シャフト
１１６  外側ソール表面
１１８  内側ソール表面
１２０  内側クラウン表面
１２２  外側クラウン表面
１２４  レーザ生成フィーチャ
１２６  スイートスポット
１２８  中央領域
１３０  ヒール領域
１３２  トウ領域
２００  ゴルフクラブヘッド
２０２  クラブフェース
２０４  クラウン
２０６  ソール
２０８  ホーゼル
２２４Ａ  第１の複数のレーザ生成フィーチャ
２２４Ｂ  第２の複数のレーザ生成フィーチャ
２２４Ｃ  第３の複数のレーザ生成フィーチャ
２２８  中央領域
２３０  ヒール領域
２３２  トウ領域
３００  ゴルフクラブヘッド
３０２  クラブフェース
３０４  クラウン
３０６  ソール
３０８  ホーゼル
３２４  レーザ生成フィーチャ
３２４Ａ  第１の複数のレーザ生成フィーチャ、レーザ生成フィーチャ
３２４Ｂ  第２の複数のレーザ生成フィーチャ、第２のレーザ生成フィーチャ
３２４Ｃ  第３の複数のレーザ生成フィーチャ、第３のレーザ生成フィーチャ
３２４Ｄ  第４のレーザエングレービングフィーチャ、第４のレーザ生成フィーチャ
３２８  中央領域
３３０  ヒール領域
３３２  トウ領域
【図１】
0003233491.tif 000011
【図２】
0003233491.tif 000012
【図３Ａ】
0003233491.tif 000013
【図３Ｂ】
0003233491.tif 000014
【図３Ｃ】
0003233491.tif 000015
【図３Ｄ】
0003233491.tif 000016
【図３Ｅ】
0003233491.tif 000017
【図３Ｆ】
0003233491.tif 000018
【図４】
0003233491.tif 000019